(57)【要約】【課題】  従来の紙パックの利用しやすさを向上させ、紙パック飲料を複数回に分けて飲めるようにし、利用者が不快な思いをしないようにする。【解決手段】  紙パック本体１の上面のストロー穴１３を閉じるアルミシート基礎部１１の上に複数枚のシール状蓋Ａ、Ｂを積層し、各シール状蓋の下面に粘着層６および粘着層保護シート７を設ける。シール状蓋Ａをめくりあげて、アルミシート基礎部１１の上からストロー３を突き刺して内部の飲料を飲んだ後、ストロー３を抜き取り、粘着層保護シート７を剥離してシール状蓋Ａをアルミシート基礎部１１の上に接着しストロー穴１３に蓋をすることができる。【選択図】        図２
2007284139.tif 000002
【特許請求の範囲】
【請求項１】
紙パック本体の上面のストロー穴を閉じる固定状のシートの上からストローを突き刺して内部の飲料を飲めるようにした飲料用紙パックにおいて、前記固定状のシートの上に、めくり上げ可能な１枚又は複数枚のシール状蓋を積層し、めくり上げたシール状蓋を元に戻してストロー穴を再び閉じ、シール状蓋の上からストローを突き刺し可能としたことを特徴とする飲料用紙パック
【請求項２】
請求項１記載の飲料用紙パックにおいて、各シール状蓋は、下面に粘着層および剥離可能な粘着層保護シートを設けたことを特徴とする飲料用紙パック。
【請求項３】
請求項１ないし請求項２記載の飲料用紙パックにおいて、各シール状蓋をめくり上げるタブを設けたことを特徴とする飲料用紙パック。
【発明の詳細な説明】
【技術分野】
【０００１】
本発明は、ストロー穴に複数回蓋ができる飲料用紙パックに関するものである。
【背景技術】
【０００２】
従来市販されている紙パック飲料は、一度開封すると再度蓋をすることができず、一気に飲み終えなければならない。飲む際の利便性を高めるものとして、特許文献１や特許文献２、特許文献３のものがあるが、いずれも開封したものに蓋をするという機能は持ち合わせていない。
【特許文献１】特開２０００−２５７５０号
【特許文献２】特開平９−１９３９６４号
【特許文献３】実開平６−３８７５５号
【発明の開示】
【発明が解決しようとする課題】
【０００３】
上記に記したとおり、一度蓋を開けたら、再び蓋をすることができない。このことから、飲み物を飲むとき、飲み残しができない。そのため、利用者が使いにくく、不快な思いをさせる。そこで、従来の紙パックの利用しやすさを向上させ、紙パック飲料を複数回に分けて飲めるようにして、利用者が不快な思いをしないようにすることを課題とする。
【課題を解決するための手段】
【０００４】
上記課題を解決するために、請求項１の発明では、紙パック本体の上面のストロー穴を閉じる固定状のシートの上からストローを突き刺して内部の飲料を飲めるようにした飲料用紙パックにおいて、前記固定状のシートの上に、めくり上げ可能な１枚又は複数枚のシール状蓋を積層し、めくり上げたシール状蓋を元に戻してストロー穴を再び閉じ、シール状蓋の上からストローを突き刺し可能としたことを特徴とする。これにより、ストロー穴に複数回蓋をすることができ、紙パック内の飲料を複数小分けして飲むことができる。
【０００５】
例えば、シール状蓋が１枚であるとき、紙パック本体内の飲料を２回に小分けして飲むことができる。すなわち、一番下のアルミシート基礎部（固定状のシート）からその上のシール状蓋の大半をめくり上げて、一番下のアルミシート基礎部（固定状のシート）にストローを突き刺すことにより、内部の飲料を飲むことができる。ストローを抜き取り、めくり上げた上側のシール状蓋を元に戻してその下のアルミシート基礎部（固定状のシート）に接着固定し、ストロー穴に蓋をすることができる。残りの飲料を飲みたいときは、上側のシール状蓋の上から直接ストローを突き刺すことにより、残りを飲み切ることができる。
同様にして、シール状蓋が２枚であるときは、飲料を３回に小分けして飲むことができる。
【０００６】
請求項２記載の発明は、請求項１記載の飲料用パックにおいて、各シール状蓋は、下面に粘着層および剥離可能な粘着層保護シートを設けたことを特徴とする。
【０００７】
また、請求項３記載の発明は、請求項１または請求項２記載の飲料用紙パックにおいて、各シール状蓋をめくり上げるタブを設けたことを特徴とする。
【発明の効果】
【０００８】
以上の説明より、本発明によると、一度開封したものでも、ストロー穴に再度蓋をして後で飲むことができる。これにより飲料用紙パック内の飲料を複数回に小分けして飲むことができる。一枚又は複数枚のシール状蓋を固定状のシートの上に重ねて紙パック本体の上面に取り付けるだけなので、構造が簡単で、コストも現在市販のものと変わらない。また、毎回新しいシール状蓋を用いることになるので、ストロー穴を閉じるシール状蓋の粘着力が持続できる。
【発明を実施するための最良の形態】
【０００９】
以下、図面によって本発明の実施の形態について説明する。
【００１０】
紙パックは、紙パック本体（１）、シール状蓋の積層体（２）、ストロー（３）で構成されている。シール状蓋の積層体（２）は、シール状蓋Ａ、Ｂの２枚の積層構造になっている。ただし、飲み分けの回数を増減させたい場合はシール状蓋の枚数を変えることで対応できる。
【００１１】
図１は、全体の構成図で、紙パック本体（１）とシール状蓋の積層体（２）とストロー（３）で構成されている。図２は、シール状蓋の積層体（２）の分解図である。図３〜図６は飲料用紙パックの断面図である。紙パック本体（１）の上面にはあらかじめストロー穴（１３）が設けられている。このストロー穴（１３）に蓋をするシール状蓋の積層体（２）が同じく紙パック本体（１）の上面に取り付けられている。
【００１２】
図３に示すように、シール状蓋の積層体（２）の一番下にあるアルミシート基礎部（１１）は紙パック本体（１）の上面に剥離不可能に接着固定されている。アルミシート基礎部（１１）の上のシール状蓋Ａ（９）の下面には粘着層（６）および粘着層保護シート（７）が設けられている。図４に示すように、一番下のアルミシート基礎部（１１）の上面から端部を残して大半をめくりあげ、粘着層保護シート（７）を剥離し、粘着層（６）をアルミシート基礎部（１１）の上面に接着することができる。同様に、シール状蓋Ａ（９）の上層のシール状蓋Ｂ（１０）の下面にも、粘着層（６）が設けられており、シール状蓋Ａ（９）の上面から端部を残して大半をめくりあげ、粘着層保護シート（７）を剥離し、粘着層（６）をシール状蓋Ａ（９）の上面に接着することができる。
【００１３】
図２は、シール状蓋の積層体（２）の分解図で、シール状蓋の積層体（２）は下層のシール状蓋Ａ（９）と上層のシール状蓋Ｂ（１０）で主要構成され、一番下にアルミシート基礎部（１１）を備えている。シール状蓋Ａ（９）は、上から順にシール状蓋本体（４）、アルミシート（５）、粘着層（６）、粘着層保護シート（７）から構成され、シール状蓋本体（４）、粘着層（６）の各中央にはストロー挿し穴（８）が形成されている。粘着層保護シート（７）の先端はシール状蓋から少し突出しており、先端にタブ（１２）を形成している。なお、シール状蓋Ｂ（１０）もシール状蓋Ａ（９）と同様の構成である。
【００１４】
図３は、蓋を開ける前のシール状蓋部分の断面図である。
【００１５】
図４は、最初に飲む際の図である。一番下のアルミシート基礎部（１１）を残し、上の残りの２枚のシール状蓋Ａ（９）、シール状蓋Ｂ（１０）を一緒にめくりあげ、ストロー（３）で一番下のアルミシート基礎部（１１）を突き破って飲む。
【００１６】
図５は、一度飲み終えてストロー（３）を抜き取った後に、シール状蓋Ａ（９）の粘着層保護シート（７）を剥離し、粘着層（６）によりアルミシート基礎部（１１）上にシール状蓋Ａ（９）を粘着固定する際の状態である。
【００１７】
図６は、再び飲むときの図である。タブ（１２）をつまんで一番上のシール状蓋Ｂ（１０）だけをめくりあげ、下層のシール状蓋Ａ（９）のストロー挿し穴（８）からアルミシート（５）をストロー（３）で突き破って飲む。
【００１８】
さらに飲み分けする際は、同様の手順で一番上のシール状蓋Ｂ（１０）を利用する。
【図面の簡単な説明】
【００１９】
【図１】本発明の飲料用紙パックの全体図である。
【図２】シール状蓋の積層体の分解図である。
【図３】蓋を開ける前の断面図である。
【図４】１回目にストローを刺した際の断面図である。
【図５】１回目に蓋をする際の断面図である。
【図６】２回目にストローを刺した際の断面図である。
【符号の説明】
【００２０】
１    紙パック本体
２    シール状蓋の積層体
３    ストロー
４    シール状蓋本体
５    アルミシート
６    粘着層
７    粘着層保護シート
８    ストロー挿し穴
９    シール状蓋Ａ
１０  シール状蓋Ｂ
１１  アルミシート基礎部（固定状のシート）
１２  タブ
【図１】
2007284139.tif 000003
【図２】
2007284139.tif 000004
【図３】
2007284139.tif 000005
【図４】
2007284139.tif 000006
【図５】
2007284139.tif 000007
【図６】
2007284139.tif 000008
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
紙パック本体の上面のストロー穴を閉じる固定状のシートの上からストローを突き刺して内部の飲料を飲めるようにした飲料用紙パックにおいて、前記固定状のシートの上に、めくり上げ可能な１枚又は複数枚のシール状蓋を積層し、めくり上げたシール状蓋を元に戻してストロー穴を再び閉じ、シール状蓋の上からストローを突き刺し可能とし、各シール状蓋は、下面に粘着層および剥離可能な粘着層保護シートを設けたことを特徴とする飲料用パック。
【請求項２】
請求項１記載の飲料用紙パックにおいて、各シール状蓋をめくり上げるタブを設けたことを特徴とする飲料用パック。
【手続補正２】
【補正対象書類名】明細書
【補正対象項目名】０００４
【補正方法】変更
【補正の内容】
【０００４】  上記課題を解決するために、請求項１の発明では、紙パック本体の上面のストロー穴を閉じる固定状のシートの上からストローを突き刺して内部の飲料を飲めるようにした飲料用紙パックにおいて、前記固定状のシートの上に、めくり上げ可能な１枚又は複数枚のシール状蓋を積層し、めくり上げたシール状蓋を元に戻してストロー穴を再び閉じ、シール状蓋の上からストローを突き刺し可能とし、各シール状蓋は、下面に粘着層および剥離可能な粘着層保護シートを設けたことを特徴とする。これにより、ストロー穴に複数回蓋をすることができ、紙パック内の飲料を複数小分けして飲むことができる。
【手続補正３】
【補正対象書類名】明細書
【補正対象項目名】０００５
【補正方法】変更
【補正の内容】
【０００５】  例えば、シール状蓋が１枚であるとき、紙パック本体内の飲料を２回に小分けして飲むことができる。すなわち、一番下のアルミシート基礎部（固定状のシート）からその上のシール状蓋の大半をめくり上げて、一番下のアルミシート基礎部（固定状のシート）にストローを突き刺すことにより、内部の飲料を飲むことができる。ストローを抜き取り、めくり上げた上側のシール状蓋の粘着層保護シートを剥離し、シール状蓋を元に戻して粘着層によりその下のアルミシート基礎部（固定状のシート）に接着固定し、ストロー穴に蓋をすることができる。残りの飲料を飲みたいときは、上側のシール状蓋の上から直接ストローを突き刺すことにより、残りを飲み切ることができる。
同様にして、シール状蓋が２枚であるときは、飲料を３回に小分けして飲むことができる。
【手続補正４】
【補正対象書類名】明細書
【補正対象項目名】０００６
【補正方法】変更
【補正の内容】
【０００６】  請求項２記載の発明は、請求項１記載の飲料用紙パックにおいて、各シール状蓋をめくり上げるタブを設けたことを特徴とする。
【手続補正５】
【補正対象書類名】明細書
【補正対象項目名】０００７
【補正方法】削除
【補正の内容】